(57)【要約】【課題】錠ケースの強度が高く、かつ、組立作業性の高い錠装置の提供を目的とする。【解決手段】一対のケース半体１を重ね合わせて連結し、ほぼ中空ボックス形状に形成されるケース本体２と、  ケース本体２の前端面に固定される扉体への取付プレート３３と、  ケース本体２内に収納され、施解錠操作装置４により進退駆動されるデッドボルト５とを有する錠装置であって、  前記各ケース半体１の前端には、連結状態において前後に重合する連結片６が折り曲げられ、  ケース半体１同士は、幅広壁同士をねじ止めするとともに、連結片６の重合部に取付プレート３を共締めして連結される。【選択図】  図６
2008127785.tif 000002
【特許請求の範囲】
【請求項１】
一対のケース半体を重ね合わせて連結し、ほぼ中空ボックス形状に形成されるケース本体と、
ケース本体の前端面に固定される扉体への取付プレートと、
ケース本体内に収納され、施解錠操作装置により進退駆動されるデッドボルトとを有する錠装置であって、
前記各ケース半体の前端には、連結状態において前後に重合する連結片が折り曲げられ、
ケース半体同士は、幅広壁同士をねじ止めするとともに、連結片の重合部に取付プレートを共締めして連結される錠装置。
【請求項２】
前記ケース本体の前面がデッドボルト進退部周辺を除いてほぼ全面に亘って閉塞されている請求項１記載の錠装置。
【請求項３】
ケース本体の幅広壁面に開設された取付孔から挿入される施解錠操作装置の取付突部に貫通して施解錠操作装置をケース本体に固定する装着ピンを有し、
前記装着ピンの一端部が前記連結片に開設されたピン貫通孔内に保持される請求項１記載の錠装置。
【発明の詳細な説明】
【技術分野】
【０００１】
本発明は、錠装置に関するものである。
【背景技術】
【０００２】
錠ケース内にデッドボルトを進退操作可能に収納した錠装置としては、特許文献１に記載のものが知られている。この従来例において、錠ケースは、予め面板（取付プレート）が固定された本体ケース（一方のケース半体）に蓋板（他方のケース半体）を連結して形成される。
【０００３】
蓋板と本体ケースとは、本体ケースに立設された円柱に蓋板の幅広壁をねじ止めして連結され、連結状態において内部にデッドボルト等の収容スペースが形成される。
【０００４】
しかし、上述した従来例において、平板状の蓋板は本体ケースの円柱上に載置された状態でビス止めされるために、蓋板の面方向へのがたつきを完全に防止することができないという問題がある。上述した従来例においては、蓋板の上下縁に形成された突起部を本体ケース側の切欠に嵌合させることにより前後方向のずれは防止されるが、上下方向へのずれの防止手段はなく、当該方向のがたつきを防止することはできない（本明細書において、デッドボルト５が飛び出す方向を「前方」とし、「上下」「側方」は扉体に固定した姿勢を基準に決定する。）。
【０００５】
この問題は、本体ケースの前面に固定される面板に嵌合溝を形成し、蓋体の前縁に形成される突起部を嵌合させることにより解決できるが、ずれ防止に十分な嵌合深さを確保すると、面板の強度低下をもたらす上に、蓋板は斜め姿勢で前縁の突起部を嵌合溝に嵌合させた後、水平姿勢に戻して上下縁の突起部を係止させる作業が必要になり、組立作業性が低下する。
【特許文献１】実用新案登録第３０５２８２３号公報
【発明の開示】
【発明が解決しようとする課題】
【０００６】
本発明は、以上の欠点を解消すべくなされたものであって、錠ケースの強度が高く、かつ、組立作業性の高い錠装置の提供を目的とする。
【課題を解決するための手段】
【０００７】
錠装置は、ケース本体２内に収容したデッドボルト５を施解錠操作装置４により駆動可能に形成される。施解錠操作装置４には、モータ等のアクチュエータを動力とするもの、あるいはシリンダ錠、サムターン装置等の手動による装置であってもよい。
【０００８】
ケース本体２は、一対のケース半体１、１を重ね合わせて形成され、ケース本体２の前端面には扉体への取付プレート３が固定される。各ケース半体１には、連結状態において前後に重合する連結片６が形成されており、ケース半体１同士の連結は、一方のケース半体１の幅広壁同士をねじ止めするとともに、前後方向に重合した連結片６と取付プレート３とを共締めして行われる。
【０００９】
本発明において、ケース半体１同士の連結、および取付プレート３のケース本体２の連結操作は、部材を傾けて行うような複雑な操作を要することなく、通常のねじ止め工程のみで行うことができるために、組立作業性が向上し、さらに、組立のための切欠等を設ける必要がないために、強度を高めることができる。
【００１０】
また、取付プレート３は予め一方のケース半体１に形成されることなく、別体で形成されてケース半体１同士の連結後に連結されるために、ケース本体２と取付プレート３とを分離保管することが可能になる。この結果、保管、流通の融通性とともに、取付プレート３の変更等の融通性が高まる。
【００１１】
この場合、ケース本体２の前面がデッドボルト５進退部周辺を除いてほぼ全面に亘って閉塞されるように構成すると、ケース本体２単位に保管、搬送時の異物混入等の不具合を完全に防止できる。
【発明の効果】
【００１２】
本発明によれば、錠ケースの強度が高く、かつ、組立作業性の高い錠装置の提供を目的とする。
【発明を実施するための最良の形態】
【００１３】
図１に示すように、錠装置は、錠ケース１１内に収容されるデッドボルト５を備える。デッドボルト５は、板材を断面Ｕ字形状に屈曲させて前後に長く形成され、図１（ａ）に示すように、前端が錠ケース１１から飛び出す施錠位置と、図１（ｂ）に示すように、錠ケース１１内に没入した解錠位置との間で進退移動する。
【００１４】
上記デッドボルト５を駆動するために、錠ケース１１内には電動の施解錠操作装置４として機能する動力ユニット４Ａが固定される。図１（ｂ）に示すように、動力ユニット４Ａは、モータ１２の動力を回転出力軸１３の回転動力に変換する歯車列、およびモータ１２の制御等に必要な通電部品をユニットケース内に収容して形成される。
【００１５】
動力ユニット４Ａの回転出力軸１３に出力される回転動力は、回転出力軸１３に連結される平歯車からなる出力ギア１４、この出力ギア１４に噛合するラック伝達部材１５を介して回転カム１６に伝達される。図２、３に示すように、回転カム１６は、後述するケース半体１に予め固定されたカム受け部材１７に装着フランジ１６ａを挟まれた状態で取り付けられ、回転カム１６が回転駆動されると、回転カム１６のデッド操作リンク部１６ｂがデッドボルト５の後端に突設される操作突出部５ａを押圧し、デッドボルト５を進退駆動する。
【００１６】
また、上記動力ユニット４Ａの回転出力軸１３と最後段ギア１８との間には回転方向に遊びが設定され、モータ１２は、例えば施錠方向に駆動された場合には、回転出力軸１３を施錠方向に回転させた後、遊び角の範囲で反転駆動される。この結果、回転出力軸１３は歯車列の規制を受けることなく解錠方向への回転が可能なり、後述するシリンダ錠４Ｂ等による解錠操作を可能にする。
【００１７】
上記デッドボルト５等を格納する錠ケース１１は、図５に示すように、一対のケース半体１、１を連結して中空ボックス形状に形成されるケース本体２と、ケース本体２の前端面に固定される取付プレート３とを有する。取付プレート３は、図外の扉体内に挿入して固定するときの扉体への固定用フランジを提供し、取付プレート３には、扉体への固定後に取付用ビスを隠すための化粧プレート１９がねじ止めされる。
【００１８】
各ケース半体１は、金属板材に折り曲げ加工を施して形成され、図３に示すように、一方のケース半体１（以後、便宜上これを「下ケース」、他方を「上ケース」という。）は、側方壁の上下縁に天井壁１ａと底壁１ｂとが折り曲げられ、後端縁から背面壁構成片１ｃが折曲形成される。
【００１９】
また、上ケースには、後端縁から、上記下ケースの背面壁構成片１ｃと協働してケース本体２の背面壁を形成する背面壁構成片１ｃが折曲形成され、さらに、上下縁には、下ケースの上下縁に切り欠かれる位置決め用切欠１ｄに嵌合する位置決め突部１ｅが形成される。
【００２０】
また、これら上下ケース１、１の前端縁には、連結片６が折り曲げられる。図６に示すように、連結片６は上ケースに設けられるものが下ケースに設けられるものの後面に重なるように形成される。
【００２１】
したがってこの実施の形態において、上下ケース１、１は、上下方向に重ねた後、側方壁同士をねじ止めして連結することができる。錠装置の組立は、まず、下ケース１にデッドボルト５、動力ユニット４Ａ等を組み込んだ後、上ケース１を連結して行われる。ねじ止めしたケース本体２の前面は、図４（ａ）に示すように、動力ユニット４Ａのユニットケース、および連結片６によりデッドボルト５周辺を除いてほぼ全面に亘って閉塞され、異物等の混入スペースが可及的に狭められる。
【００２２】
図４、５、６に示すように、以上のようにして形成された各種部品を格納したケース本体２の前面に取付プレート３を固定して錠装置が完成し、さらに、扉体への固定作業終了後に装着ピン９を使用してシリンダ錠４Ｂ等の手動施解錠操作装置４を連結して施工が完了する。
【００２３】
シリンダ錠４Ｂ、あるいはサムターン装置４Ｃの取り付けは、図７に示すように、錠ケース１１の側方壁に開設され、回転カム１６を臨む取付孔７に取付突部８を挿入して行われ、挿入状態において、シリンダ錠４Ｂ等への操作により回転する連結子４ａが回転カム１６のカム孔１６ｃに挿入する。
【００２４】
この状態でシリンダ錠４Ｂ等を現在の状態を反転させる方向に操作すると、動力ユニット４Ａの規制を受けることなく回転カム１６を回転させ、デッドボルト５を反転位置に移動させることができる。
【００２５】
シリンダ錠４Ｂ等の錠ケース１１への固定は、錠装置を扉体に固定した後での作業を可能にするために、図５（ｂ）に示すように、錠ケース１１前端面から挿入される装着ピン９を使用して行われる。装着ピン９を挿通させるために、シリンダ錠４Ｂとサムターン装置４Ｃの各取付突部８には、錠ケース１１への挿入状態において前後に貫通するピン装着孔８ａが開設される。
【００２６】
また、図２に示すように、上記カム受け部材１７には各取付突部８を前後から挟むようにしてピン保持部１７ａが突設され、装着ピン９は、ケース本体２の連結片６に開設したピン貫通孔１０と、上記取付突部８のピン装着孔８ａと、ピン保持部１７ａに開設された貫通孔１７ｂを貫通し、シリンダ錠４Ｂ等を強固に固定する。
【図面の簡単な説明】
【００２７】
【図１】本発明を示す図で、（ａ）は施錠状態を示す図、（ｂ）は解錠状態を示す図である。
【図２】カム受け部材を示す図で、（ａ）は回転カムを支持した状態を示す正面図、（ｂ）は（ａ）の２Ｂ-２Ｂ線断面図、（ｃ）は装着ピンの装着状態を示す説明図である。
【図３】ケース半体を示す図で、（ａ）は下ケースを示す斜視図、（ｂ）は上ケースを示す斜視図である。
【図４】錠ケースの正面図で、（ａ）はケース本体の正面図、（ｂ）は取付プレートを止着した状態の正面図である。
【図５】錠ケースの組立を示す図で、（ａ）はケース本体の組立を示す分解斜視図、（ｂ）は錠装置の組立を示す分解斜視図である。
【図６】錠装置の断面図で、（ａ）は取付プレートの止着部位における断面図、（ｂ）は化粧プレートの止着部位における断面図、（ｃ）は装着ピン挿入部位における断面図である。
【図７】シリンダ錠を装着した状態を示す断面図である。
【符号の説明】
【００２８】
１        ケース半体
２        ケース本体
３        取付プレート
４        施解錠操作装置
５        デッドボルト
６        連結片
７        取付孔
８        取付突部
９        装着ピン
１０      ピン貫通孔
【図１】
2008127785.tif 000003
【図２】
2008127785.tif 000004
【図３】
2008127785.tif 000005
【図４】
2008127785.tif 000006
【図５】
2008127785.tif 000007
【図６】
2008127785.tif 000008
【図７】
2008127785.tif 000009